(57)【要約】      （修正有）【課題】メガネフレームを構成する各パーツの交換が容易であり、かつ、各パーツの取付強度が強いメガネフレームを提供する。【解決手段】メガネフレーム２は、智とブリッジにおいて上下に分割されており、上部フロント10と下部フロント12から構成される。上部フロント10は、左右の上リム14と、この左右の上リム14を連結する上部ブリッジ16とから構成され、下部フロント12は、左右の下リム18と、この左右の下リム18を連結する下部ブリッジ20とから構成され、左右の上リム14は、左右のレンズ22上部の周縁を保持し、左右の下リム18は、左右のレンズ22下部の周縁を保持する。【選択図】図２
2014119610.tif 000002
【特許請求の範囲】
【請求項１】
ブリッジが互いに着脱可能に上下に分割され、智が上下に分割されたフロントと、
前記智の分割部分を連結し、該分割部分に着脱可能に係止される係止部を有する一対のテンプルと、
を備えたメガネフレーム。
【請求項２】
前記上下に分割されたブリッジに形成され、互いに対向する一対の対向面と、
前記一対の対向面の一の対向面の一端から他端に亘って形成された係止溝と、
他の対向面に形成され、前記係止溝に係止する係止突起と、
を備えた請求項１に記載のメガネフレーム。
【請求項３】
上下に分割されて成る上部フロントと下部フロントの両端に形成され、該上部フロントと下部フロントの両端の分割面に平行に突出する突出部を備え、
前記突出部は前記係止部に挟まれたことを特徴とする請求項１または請求項２に記載のメガネフレーム。
【請求項４】
前記突出部または前記係止部のいずれか一方に形成され、他方を係止する係止爪と、
前記係止爪の係止を解除する解除手段と、
を備えた請求項３に記載のメガネフレーム。
【発明の詳細な説明】
【技術分野】
【０００１】
本発明は、メガネフレームに関するものである。
【背景技術】
【０００２】
フロントのデザインを変更できるメガネフレームが、特許文献１に記載されている。このメガネフレームは、フロントが上下に分割されて成る上部フロントと下部フロントを有している。この上部フロントはその両端及びブリッジに挿入部を有し、下部フロントはその両端及びブリッジに形成された切り込み部を有している。各挿入部を各切り込み部に抜き差しすることにより、上部フロントは下部フロントに着脱できる。
【０００３】
このメガネフレームは、その使用者の気分やシーンに応じて上部フロントの有無を使い分けることができる。また色、模様の異なる複数種類の上部フロントを所有していれば、フロントデザインを変更することもできる。
【０００４】
しかし、テンプルは下部フロントに固定されているため、下部フロント及びテンプルのデザインを個別に変更することはできなかった。また、衝撃によるフロントの分解を防止するために、挿入部の差し込み具合を硬くして取付強度を強くすると、上部フロントの着脱が困難となる。逆に、上部フロントの着脱を容易にするために、挿入部の差し込み具合を緩めると、わずかな衝撃でも上下のフロントが分解してしまう。すなわち、このメガネフレームは、上部フロントの取付強度と上部フロントの交換の容易性の両立が困難である。さらに、頻繁に上部フロントの抜き差しを行うと、切り込み部が変形し、十分な取付強度が得られなくなる。
【先行技術文献】
【特許文献】
【０００５】
【特許文献１】登録実用新案３１０９３６３号公報
【発明の概要】
【発明が解決しようとする課題】
【０００６】
本発明は、メガネフレームを構成する各パーツの交換が容易であり、かつ、各パーツの取付強度が強いメガネフレームを提供することを目的とする。
【課題を解決するための手段】
【０００７】
上記課題を解決するため、本発明のメガネフレームは、ブリッジが互いに着脱可能に上下に分割され、智が上下に分割されたフロントと、前記智の分割部分を連結し、該分割部分に着脱可能に係止される係止部を有する一対のテンプルとを備えたことを特徴とする。
【０００８】
また、前記上下に分割されたブリッジに形成され、互いに対向する一対の対向面と、前記一対の対向面の一の対向面の一端から他端に亘って形成された係止溝と、他の対向面に形成され、前記係止溝に係止する係止突起とを備えたことを特徴とする。
【０００９】
さらに、上下に分割されて成る上部フロント及び下部フロントの両端に形成され、該上部フロントと下部フロントの両端の分割面に平行に突出する突出部を備え、前記突出部は前記係止部に挟まれたことを特徴とする。
【００１０】
また、前記突出部または前記係止部のいずれか一方に形成され、他方を係止する係止爪と、前記係止爪の係止を解除する解除手段とを備えたことを特徴とする。
【発明の効果】
【００１１】
本発明は、上下に分割されたフロントが互いに着脱可能である。また、このフロントに一対のテンプルを着脱できる。よって、本発明のメガネフレームによれば、各部材の色、模様の異なる他の部材に取り換えることができ、気分やシーンに応じてメガネフレームを変身させることができる。
【００１２】
また、係止溝に係止突起を係止して成るフロントにレンズが嵌め込まれると、フロントの左右のリムがレンズを囲んで保持し、上下に分割された各フロントの移動が制限される。すなわち、嵌め込まれたレンズは、上下に分割された各フロントのスライド移動を防止する位置決めとして作用する。これにより、係止突起が係止溝から外れることなく、本発明を用いたメガネは上下のフロントの結合強度に優れている。
【００１３】
さらに、工具を用いずにテンプルをフロントから取り外し、上部フロントを下部フロントに対してスライド移動するだけでフレームを分解できる。これにより、メガネフレームを構成する各パーツの交換が容易となる。また、頻繁に部材の交換を行っても、各部材の結合強度の劣化は生じない。
【図面の簡単な説明】
【００１４】
【図１】本発明のメガネフレームの斜視図である。
【図２】本発明のメガネフレームの組立図である。
【図３】上部ブリッジと下部ブリッジの取付態様を示した図である。
【図４】テンプルとフロントの係止態様を示した図である。
【図５】フロントの智を示した図である。
【図６】テンプルとフロントの他の係止態様を示した図である。
【図７】本発明のメガネフレームの他の形態を示した図である。
【発明を実施するための形態】
【００１５】
本発明のメガネフレームを図面に従って説明する。なお、本明細書においては、各図にわたって示される同じ符号は同一又は同様の部材や物を示す。
【００１６】
本発明のメガネフレーム2は、図１に示すように、フロント4と、一対のテンプル6を備える。本発明のフロント4及び一対のテンプル6の材質は特に限定されず、代表的にはＡＢＳ等の合成樹脂が用いられる。
【００１７】
本発明のフロント4は、図１及び図２に示すように、その両側である智54（図５）とブリッジ8において上下に分割されており、上部フロント10と下部フロント12から構成される。上部フロント10は、左右の上リム14と、この左右の上リム14を連結する上部ブリッジ16とから構成される。下部フロント12は、左右の下リム18と、この左右の下リム18を連結する下部ブリッジ20とから構成される。
【００１８】
左右の上リム14は、左右のレンズ22上部の周縁を保持する。左右の下リム18は、左右のレンズ22下部の周縁を保持する。
【００１９】
分割されて成る上部ブリッジ16と下部ブリッジ20は、図２及び図３に示すように、互いに対向する一対の対向面24a,24bを有している。一方の対向面24aに係止溝26が形成され、他方の対向面24b上には係止溝26に嵌め込まれ係止溝26と係止する係止突起28が形成されている。上部ブリッジ16の断面において、係止溝26は、湾曲、屈曲又は分岐しており、例えばＬ字状、Ｔ字状である。係止突起28の断面は、係止溝26に嵌まり込むように形成される。また、係止突起28は係止溝26と同方向に伸びて形成される。
【００２０】
この係止突起28が係止溝26に挿入されると、上下に分割された各ブリッジ16,20が結合し、上部フロント10と下部フロント12がブリッジ8において一体となる。係止突起28を係止溝26から取り外すことで、一体化したブリッジ8が分離する。落下等の衝撃により、係止突起28が係止溝26から外れることを防止するため、図３に示すように、係止突起28及び係止溝26がメガネフレーム2の左右方向を向くように形成し、各ブリッジ16,20の一端から他端にかけて形成することが好ましい。しかし、これに限られず、係止突起28及び係止溝26をメガネフレーム2の前後方向に形成しても良い。また、係止突起28は、そのブリッジ16の中心部のみに形成してもよい。
【００２１】
左右の智54は、図５に示すように、上下に分割されており、上部フロント10及び下部フロント12に形成された介在部50a,50b及び突出部32a,32bとから構成される。
【００２２】
介在部50aは、上部フロント10の端部において、下部フロント12に向かって延出しており、後述するテンプル6の係止部30の切欠き52aに挿入される。介在部50bは、下部フロント12の端部において、上部フロント10に向かって延出しており、後述するテンプル6の係止部30の切欠き52bに挿入される。
【００２３】
突出部32aは、上部フロント10の介在部50aの先端からフロント4の前後方向に突出し、その両端が下方に向かって折れ曲がって形成される。突出部32bは、下部フロント12の介在部50bの先端からフロント4の前後方向に突出している。上部フロント10の突出部32aと下部フロント12の突出部32bは、各ブリッジ16,20が結合した際に、互いに突き合うこととなる。なお、突出部32a,32bの突出方向は、フロント4の前後方向に限られず、智54の分割面に平行で有ればよい。
【００２４】
本発明の一対のテンプル6は、その一端部に、分割された智54を連結し、智54に着脱可能に係止される係止部30を有する。この係止部30は、例えば図４に示すように、テンプル6の一端部が、メガネフレーム2の内側へ向かって湾曲して成り、開口し、その上面及び下面に切欠き52a,52bが形成されており、断面が互いに対向する一対のコ字状に形成されている。そして、係止部30は、互いに突き合わされた突出部32a,32bを挟んで智54に係止される。これにより、分割された智54が連結される。
【００２５】
各テンプル6の係止手段としては、例えば、テンプル6の係止部30を係止する係止爪34を用いることができる。この係止爪34は、図５に示すように、突出部32aに形成された切欠き38を隔てて突出部32aの先端側に形成されており、その突出部32aと同方向に突出して形成されている。係止爪34は、テンプル6の係止部30の側面に形成された係止孔36と係止される。この切欠き38により係止爪34が押下げ可能となっている。
【００２６】
さらに、係止爪34を係止孔36から解除する解除手段として、係止爪34を押し下げる押下用突起40を上部フロント10の突出部に形成しても良い。この押下用突起40は、係止爪34からフロント4の内側に伸びる突出部32cの先端に形成されている。
【００２７】
テンプル6を係止するための他の係止手段として、図６に示すように、係止部30の一の側面に係止爪44を、他の側面に係止溝56を形成し、かつ、一の突出部58aに係止溝46を、他の突出部58bに係止爪(不図示)を形成しても良い。係止部30において、係止爪44は、断面コ字状の係止部30の先端部一の側面に形成された切欠き48の間に、内側に突出して形成されている。係止溝56は、係止部30の他の側面の内側に形成されている。突出部において、係止溝46は、係止爪44と係止するように一の突出部58aに形成されている。また、不図示の係止爪は、突出部58bの切欠き38から突出部32aの先端にかけて形成されており、係止溝56と係止する。
【００２８】
本発明のメガネフレーム2を用いたメガネの組み立ては、次の手順で行われる。
（１）係止溝26に係止突起28を挿入し、上部ブリッジ16と下部ブリッジ20とを結合させる。これにより、ブリッジ8において、上部フロント10と下部フロント12が一体化したフロント4となる。
（２）このフロント4の各智54を上下に広げて左右のレンズ22を嵌め込む。
（３）各フロント10,12の突出部32a,32bをテンプル6の係止部30の開口部に挿入し、各係止爪34を各係止孔36に係止させる。これにより、一対のテンプル6が一体化したフロント4の分割部分に係止される。
【００２９】
本発明のメガネフレーム2を用いたメガネの分解は、次の手順で行われる。
（１）押下用突起40を押して係止爪34を係止孔36から解除し、テンプル6をフロント4から外す方向に引いて一対のテンプル6をフロント4から取り外す。これにより、智の連結が開放される。
（２）ブリッジ8を中心に智52を上下に広げて、一体化したフロント4から左右のレンズ22を取り外す。
（３）上部フロント10を下部フロント12に相対的にスライド移動させて、係止突起28を係止溝26から取り外し、上部ブリッジ16と下部ブリッジ20を分離する。これにより一体化したフロント4が、上部フロント10と下部フロント12に分解される。
【００３０】
本発明のメガネフレーム2は、上下に分割されたフロント4が互いに着脱可能である。また、このフロント4に一対のテンプル6を着脱できる。よって、本発明のメガネフレーム2は、各部材を色、模様の異なる他の部材に取り換えることができ、気分やシーンに応じてメガネフレーム2を変身させることができる。異なる色のレンズに変更できる。
【００３１】
また、係止溝26に係止突起28を挿入して成る一体化したフロント4にレンズ22が嵌め込まれると、各フロント10,12の左右のリム14,18がレンズ22を囲んで保持し、各フロント10,12の移動が制限される。すなわち嵌め込まれたレンズ22は、上下のフロント10,12のスライド移動を防止する位置決めとして作用する。これにより、係止突起28が係止溝26から外れることなく、本発明を用いたメガネは上下のフロント10,12の結合強度に優れている。
【００３２】
さらに、本発明のメガネフレーム2は、一対のテンプル6が一体化したフロント4の分割部分を挟み、この分割部分を連結する。さらに、係止爪34が係止孔36を係止して、この連結状態が維持される。よって、左右のリムに嵌め込まれたレンズ22も外れにくく、本発明を用いたメガネは各パーツの結合強度に優れている。
【００３３】
また、押下用突起40を押し下げるだけで、テンプル6を一体化したフロント4から取り外すことができる。さらに上部フロント10を下部フロント12に対してスライド移動するだけで、一体化したフロント4を上部フロント10及び下部フロント12に分解できる。このため、本発明を用いたメガネのフロント4、テンプル6及びレンズ22の交換が容易かつ気軽に行える。また、頻繁に部材の交換を行っても、各部材の結合強度の劣化は生じない。
【００３４】
本発明の係合突起28及び係合溝26は、一方に位置決め突起42を形成し、位置決め突起42に対する凹部を他方に形成しても良い。この位置決め突起42が凹部に嵌まり込むことで、ブリッジ8を介して取付けられた上部フロント10と下部フロント12が位置決めされる。これにより、容易にレンズ22の交換をすることができる。
【００３５】
以上、本発明のメガネフレームについて説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３６】
例えば、係止部30はテンプル6に軸支されて良い。また、図７に示すように一対のテンプル6は、ゴムバンド6aであっても良い。さらに、このゴムバンド6aは係止部30に着脱可能であっても良い。
【符号の説明】
【００３７】
2...メガネフレーム
4...フロント
6...テンプル
6a...ゴムバンド
8...ブリッジ
10...上部フロント
12...下部フロント
14...上部リム
16...上部ブリッジ
18...下部リム
20...下部ブリッジ
22...レンズ
24a...一の対向面
24ｂ...他の対向面
26...係止溝
28...係止突起
30...係止部
32a,32b,32c...突出部
34,44...係止爪
36...係止孔
38,48,52a,52b...切欠き
40...押下用突起
42...位置決め突起
46...係止溝
50...介在部
54...智
【図１】
2014119610.tif 000003
【図２】
2014119610.tif 000004
【図３】
2014119610.tif 000005
【図４】
2014119610.tif 000006
【図５】
2014119610.tif 000007
【図６】
2014119610.tif 000008
【図７】
2014119610.tif 000009